(57)【要約】【課題】健康的なダイエットを支援することができるダイエット支援装置、方法、及びプログラムを提供する。【解決手段】ダイエット支援装置１０は、ユーザーから排出されるケトン体を測定した測定ケトン体濃度を取得し、取得された前記測定ケトン体濃度に基づいて、ダイエットによるリバウンドの傾向の有無を判定し、判定結果を出力する。【選択図】図１
2015141458.tif 000002
【特許請求の範囲】
【請求項１】
ユーザーから排出されるケトン体を測定した測定ケトン体濃度を取得するケトン体濃度取得手段と、
前記ケトン体濃度取得手段により取得された前記測定ケトン体濃度に基づいて、ダイエットによるリバウンドの傾向の有無を判定する判定手段と、
前記判定手段による判定結果を出力する出力手段と、
を備えたダイエット支援装置。
【請求項２】
前記判定手段は、前記測定ケトン体濃度の変動を表す変動曲線と、ダイエットによるリバウンドが発生した場合の前記測定ケトン体濃度の変動を表す予め定めたリバウンド曲線と、の比較結果に基づいて、前記リバウンドの傾向の有無を判定する
請求項１記載のダイエット支援装置。
【請求項３】
前記測定ケトン体濃度に基づいて、前記ユーザーに指示すべき指示糖質量及び指示運動量の少なくとも一方を含む指示エネルギー量を取得する指示エネルギー量取得手段
を備えた請求項１又は請求項２記載のダイエット支援装置。
【請求項４】
前記指示エネルギー量取得手段は、前記判定手段により判定された前記リバウンドの傾向の有無及び前記測定ケトン体濃度に基づいて、前記指示エネルギー量を取得する
請求項３記載のダイエット支援装置。
【請求項５】
前記指示エネルギー量取得手段は、前記ユーザーの性別、年令、体格、及び体組成の少なくとも一つのユーザー情報と、前記測定ケトン体濃度と、に基づいて、前記指示エネルギー量を取得する
請求項３又は請求項４記載のダイエット支援装置。
【請求項６】
前記指示エネルギー量取得手段は、前記測定ケトン体濃度と、前記ユーザーのダイエットにおける目標体重及び目標期間に基づく目標ケトン体濃度と、の差分に基づいて、前記指示エネルギー量を取得する
請求項３〜５の何れか１項に記載のダイエット支援装置。
【請求項７】
前記指示エネルギー量に対応する食事メニュー及び運動メニューの少なくとも一方を取得するメニュー取得手段
を備えた請求項３〜６の何れか１項に記載のダイエット支援装置。
【請求項８】
前記ユーザーから排出されたケトン体を測定する測定手段
を備えた請求項１〜７の何れか１項に記載のダイエット支援装置。
【請求項９】
前記ユーザーから排出されたケトン体は、前記ユーザーから排出された呼気に含まれるアセトンである
請求項１〜８の何れか１項に記載のダイエット支援装置。
【請求項１０】
ユーザーから排出されるケトン体を測定した測定ケトン体濃度を取得し、
取得された前記測定ケトン体濃度に基づいて、ダイエットによるリバウンドの傾向の有無を判定し、
判定結果を出力する
ダイエット支援方法。
【請求項１１】
コンピュータに、
ユーザーから排出されるケトン体を測定した測定ケトン体濃度を取得し、
取得された前記測定ケトン体濃度に基づいて、ダイエットによるリバウンドの傾向の有無を判定し、
判定結果を出力する
ことを含む処理を実行させるためのダイエット支援プログラム。
【発明の詳細な説明】
【技術分野】
【０００１】
本発明は、ダイエット支援装置、方法、及びプログラムに関する。
【背景技術】
【０００２】
従来から、食事や運動に関する生活改善を促すための健康管理システムが提案されている。
【０００３】
例えば特許文献１には、活動量と肥満度に基づいて食事摂取量の判定を行い、食事で減らすべき１日当たりのエネルギー及び運動で減らすべき１日当たりのエネルギーを算出して提示する技術が開示されている。
【先行技術文献】
【特許文献】
【０００４】
【特許文献１】特開２００８−２５０９６７号公報
【発明の概要】
【発明が解決しようとする課題】
【０００５】
また、食事や運動等の生活を改善してダイエットしようとした際に、リバウンドによりダイエットを挫折してしまう場合があり得るが、上記従来技術では、食事や運動で減らすべきエネルギーを提示するだけであり、どのような食事及び運動をすればリバウンドを克服することができ、適切にダイエットできるのかをイメージしづらい。このため、食生活や運動の改善に取り組みにくく、リバウンドを早期に克服できずに、ダイエットを挫折してしまうケースが多い、という問題があった。
【０００６】
本発明は、健康的なダイエットを支援することができるダイエット支援装置、方法、及びプログラムを提供することを目的とする。
【課題を解決するための手段】
【０００７】
上記課題を解決するため、請求項１記載の発明のダイエット支援装置は、ユーザーから排出されるケトン体を測定した測定ケトン体濃度を取得するケトン体濃度取得手段と、前記ケトン体濃度取得手段により取得された前記測定ケトン体濃度に基づいて、ダイエットによるリバウンドの傾向の有無を判定する判定手段と、前記判定手段による判定結果を出力する出力手段と、を備える。
【０００８】
なお、請求項２に記載したように、前記判定手段は、前記測定ケトン体濃度の変動を表す変動曲線と、ダイエットによるリバウンドが発生した場合の前記測定ケトン体濃度の変動を表す予め定めたリバウンド曲線と、の比較結果に基づいて、前記リバウンドの傾向の有無を判定するようにしてもよい。
【０００９】
また、請求項３に記載したように、前記測定ケトン体濃度に基づいて、前記ユーザーに指示すべき指示糖質量及び指示運動量の少なくとも一方を含む指示エネルギー量を取得する指示エネルギー量取得手段を備えた構成としてもよい。
【００１０】
また、請求項４に記載したように、前記指示エネルギー量取得手段は、前記判定手段により判定された前記リバウンドの傾向の有無及び前記測定ケトン体濃度に基づいて、前記指示エネルギー量を取得するようにしてもよい。
【００１１】
また、請求項５に記載したように、前記指示エネルギー量取得手段は、前記ユーザーの性別、年令、体格、及び体組成の少なくとも一つの情報と、前記測定ケトン体濃度と、に基づいて、前記指示エネルギー量を取得するようにしてもよい。
【００１２】
また、請求項６に記載したように、前記指示エネルギー量取得手段は、前記測定ケトン体濃度と、前記ユーザーのダイエットにおける目標体重及び目標期間に基づく目標ケトン体濃度と、の差分に基づいて、前記指示エネルギー量を取得するようにしてもよい。
【００１３】
また、請求項７に記載したように、前記指示エネルギー量に対応する食事メニュー及び運動メニューの少なくとも一方を取得するメニュー取得手段を備えた構成としてもよい。
【００１４】
また、請求項８に記載したように、前記ユーザーから排出されたケトン体を測定する測定手段を備えた構成としてもよい。
【００１５】
また、請求項９に記載したように、前記ユーザーから排出されたケトン体は、前記ユーザーから排出された呼気に含まれるアセトンであることが好ましい。
【００１６】
請求項１０記載の発明のダイエット支援方法は、ユーザーから排出されるケトン体を測定した測定ケトン体濃度を取得し、取得された前記測定ケトン体濃度に基づいて、ダイエットによるリバウンドの傾向の有無を判定し、判定結果を出力する。
【００１７】
請求項１１記載の発明のダイエット支援プログラムは、コンピュータに、ユーザーから排出されるケトン体を測定した測定ケトン体濃度を取得し、取得された前記測定ケトン体濃度に基づいて、ダイエットによるリバウンドの傾向の有無を判定し、判定結果を出力することを含む処理を実行させる。
【発明の効果】
【００１８】
本発明によれば、健康的なダイエットを支援することができる、という効果を有する。
【図面の簡単な説明】
【００１９】
【図１】ダイエット支援装置の外観図である。
【図２】ダイエット支援装置のブロック図である。
【図３】ダイエット支援プログラムによる処理のフローチャートである。
【図４】リバウンドによりアセトン濃度が低下する場合のアセトン濃度の変動曲線の一例を示す図である。
【図５】年令、測定したアセトン濃度と目標アセトン濃度との差分、指示糖質量、及び指示運動量のテーブルデータの一例を示す図である。
【図６】総エネルギー量、食事メニュー、及び運動メニューの対応関係を示すテーブルデータの一例を示す図である。
【図７】測定機器とパーソナルコンピュータを接続する形態のブロック図である。
【発明を実施するための形態】
【００２０】
以下、本発明の実施形態について説明する。
【００２１】
図１は、本実施形態に係るダイエット支援装置１０の外観図である。図１に示すように、ダイエット支援装置１０は、測定部１２、表示部１４、及び操作部１６を備えている。本実施形態に係るダイエット支援装置１０は、一例として持ち運びに便利な携帯型の装置である。
【００２２】
測定部１２は、ユーザーから排出されるケトン体の濃度（以下、ケトン体濃度という）を測定する。ここで、ケトン体とは、アセト酢酸、３−ヒドロキシ酪酸（β−ヒドロキシ酪酸、アセトンの総称であり、これらのうちの少なくとも一つを表す。
【００２３】
本実施形態では、測定部１２が、一例としてユーザーの呼気中のアセトンを検出するアセトン検出センサを備えた構成の場合について説明する。ユーザーは、吹き込み口１８に呼気を吹き込むことにより、呼気中のアセトン濃度を測定することができる。なお、吹き込み口１８は、呼気を収集しやすくするために、口で咥えることが可能なマウスピース型の形状としてもよいし、マスク型の形状としてもよい。
【００２４】
表示部１４は、例えば液晶パネル等で構成される。表示部１４には、例えば各種設定画面、測定部１２で測定されたアセトン濃度の測定結果、及び測定されたアセトン濃度に基づくアドバイス情報等の各種画面が表示される。また、表示部１４をタッチパネルの機能を備えた構成とし、画面に直接タッチすることで操作が可能な構成としてもよい。
【００２５】
操作部１６は、複数の操作ボタンを含んで構成されており、図１では一例として３個の操作ボタン１６Ａ〜１６Ｃを備えた場合を示した。
【００２６】
操作ボタン１６Ａは、一例としてダイエット支援装置１０の電源のオンオフ及び各種画面において決定の操作を行うためのボタンとして機能する。
【００２７】
操作ボタン１６Ｂは、一例として各種画面において情報を入力するためのボタンとして機能する。
【００２８】
操作ボタン１６Ｃは、一例として過去の測定結果等を読み出すことを指示するためのボタンとして機能する。
【００２９】
図２には、ダイエット支援装置１０のブロック図を示した。図２に示すように、ダイエット支援装置１０は、コントローラ２０を備えている。コントローラ２０は、ＣＰＵ（Ｃｅｎｔｒａｌ  Ｐｒｏｃｅｓｓｉｎｇ  Ｕｎｉｔ）２０Ａ、ＲＯＭ（Ｒｅａｄ  Ｏｎｌｙ  Ｍｅｍｏｒｙ）２０Ｂ、ＲＡＭ（Ｒａｎｄｏｍ  Ａｃｃｅｓｓ  Ｍｅｍｏｒｙ）２０Ｃ、不揮発性メモリ２０Ｄ、及び入出力インターフェース（Ｉ／Ｏ）２０Ｅがバス２０Ｆを介して各々接続された構成となっている。この場合、後述するダイエット支援処理をコントローラ２０のＣＰＵ２０Ａに実行させるダイエット支援プログラムを、例えば不揮発性メモリ２０Ｄに書き込んでおき、これをＣＰＵ２０Ａが読み込んで実行する。なお、ダイエット支援プログラムは、ＣＤ−ＲＯＭ、メモリーカード等の記録媒体により提供するようにしてもよく、図示しないサーバからダウンロードするようにしてもよい。
【００３０】
Ｉ／Ｏ２０Ｅには、測定部１２、表示部１４、操作部１６、及びタイマ２２が接続されている。タイマ２２は、現在時刻を取得する機能及び設定された時間を計時する計時機能を有する。
【００３１】
次に、本実施形態の作用として、コントローラ２０のＣＰＵ２０Ａにおいて実行されるダイエット支援プログラムによる処理について、図３に示すフローチャートを参照して説明する。なお、図３に示す処理は、ユーザーがダイエット支援装置１０の操作部１６を操作して、ダイエット支援プログラムの実行を指示した場合に実行される。
【００３２】
ステップＳ１００では、個人情報入力画面を表示部１４に表示し、ユーザーに個人情報を入力させる。個人情報は、例えば性別、年令、体格情報、及び体組成情報の少なくとも一つを含む。体格情報は、例えば体重であるが、「やせ型」、「標準」、「肥満型」等の体格を表す情報でもよい。また、体重及び身長を入力させて体格指数（ＢＭＩ：Ｂｏｄｙ  Ｍａｓｓ  Ｉｎｄｅｘ）を算出し、算出した体格指数を体格情報として用いても良い。また、体組成情報は、例えば体脂肪率、内臓脂肪レベル、筋肉量等であるが、これらに限られるものではない。ユーザーにより入力された個人情報は、不揮発性メモリ２０Ｄに記憶される。
【００３３】
ステップＳ１０２では、目標体重及び目標体重を達成するための目標期間を入力するための目標入力画面を表示部１４に表示し、ユーザーに目標体重及び目標期間を入力させる。ユーザーにより入力された目標体重及び目標期間は、不揮発性メモリ２０Ｄに記憶される。
【００３４】
ステップＳ１０４では、アセトン濃度の測定を行う。具体的には、まず、予め定めた時間（例えば１０秒）の経過後にアセトン濃度の測定を開始する旨のメッセージを表示部１４に表示すると共に、タイマ２２に対して予め定めた時間を計時するよう指示する。
【００３５】
そして、予め定めた時間が経過したことがタイマ２２から通知された場合には、吹き込み口１８から呼気を吹き込むよう指示する吹き込み開始メッセージを表示部１４に表示すると共に、測定部１２に対してアセトン濃度の測定を開始するよう指示する。ユーザーは、吹き込み開始メッセージが表示部１４に表示されると、呼気を吹き込み口１８に対して吹き込む。
【００３６】
測定部１２は、吹き込み口１８に吹き込まれた呼気のアセトン濃度を測定してコントローラ２０に出力する。また、測定したアセトン濃度は、タイマ２２から取得した現在時刻と共に不揮発性メモリ２０Ｄに記憶する。
【００３７】
ステップＳ１０６では、不揮発性メモリ２０Ｄに、今回測定した日を含めて複数の日におけるアセトン濃度の測定結果が記憶されているか否かを判断し、記憶されていればステップＳ１０８へ移行し、記憶されていなければステップＳ１１８へ移行する。
【００３８】
ステップＳ１０８では、複数の日のアセトン濃度の測定結果に基づいて、リバウンドの傾向があるか否かを判定する。なお、同じ日内でアセトン濃度を複数回測定している場合には、例えば同じ日内に測定した全アセトン濃度の平均値を、その日のアセトン濃度とする。
【００３９】
脂質代謝の副産物であるアセトンのアセトン濃度は脂肪の燃焼量に相当すると考えられ、体内に糖質エネルギーが余っている場合にはアセトン濃度は低くなり、体内に糖質エネルギーが足りなくなった場合にはアセトン濃度は高くなる。従って、順調にダイエットが進んでいる場合には、脂肪の燃焼量が徐々に高くなるため、日が経つに従ってアセトン濃度は徐々に上昇する。一方、ダイエットが進んでいる状態からリバウンドが起こるとアセトン濃度が高い状態から、リバウンドによってアセトン濃度は急激に下降し、その後アセトン濃度の低い状態が一定期間維持される。
【００４０】
図４には、リバウンドが発生した場合のアセトン濃度の変動曲線の一例を示した。図４に示す例では、ｄ１日目からｄ４日目にかけてアセトン濃度が高い状態、すなわち体内に糖質エネルギーが足りなくなった状態が続いており、この期間はダイエットをすることによりアセトン濃度が高い状態が続いていると考えられる。そして、ｄ４日目からｄ５日目にかけてアセトン濃度が急激に減少した後、アセトン濃度が徐々に低下しており、アセトン濃度が低い状態が維持されている。これは、リバウンドにより食事を摂り過ぎていたり、運動量が少ないためにアセトン濃度の低い状態が維持されていると考えられる。すなわち、リバウンドが発生する場合のアセトン濃度の変動曲線は、アセトン濃度が高い状態が一定期間続いた後に急激に下降し、その後アセトン濃度の低い状態が一定期間維持された曲線となる。
【００４１】
そこで、複数の日に測定したアセトン濃度の変動曲線（以下、測定曲線という）が、アセトン濃度が高い状態が一定期間続いた後に急激に下降し、その後アセトン濃度の低い状態が一定期間維持された曲線（以下、リバウンド曲線という）の少なくとも一部と類似しているか否かを判定することにより、リバウンドの傾向が見られるか否かを判定する。
【００４２】
なお、急激に下降しているか否かの判定は、急激に下降しているか否かを判定する期間の開始日Ｄ１のアセトン濃度をＡ１、終了日Ｄ２のアセトン濃度をＡ２とした場合、（Ａ２−Ａ１）／（Ｄ２−Ｄ１）が予め定めた第１の閾値未満の場合を急激に下降していると判定する。すなわち、急激に下降しているか否かを判定する期間の開始日のアセトン濃度と終了日のアセトン濃度とを結ぶ線の傾きが予め定めた第１の閾値未満の場合に急激に下降していると判定する。なお、急激に下降しているか否かを判定する期間の開始日Ｄ１のアセトン濃度Ａ１、終了日Ｄ２のアセトン濃度Ａ２との差分（Ａ２−Ａ１）が予め定めた第２の閾値未満の場合に急激に下降していると判定するようにしてもよいし、比（Ａ２／Ａ１）が予め定めた第３の閾値未満の場合に急激に下降していると判定するようにしてもよい。
【００４３】
また、例えば測定曲線と、リバウンド曲線の少なくとも一部と、の類似度を公知の手法により算出し、算出した類似度が予め定めた第４の閾値以上の場合にリバウンドの傾向が見られると判定するようにしてもよい。
【００４４】
なお、測定曲線がリバウンド曲線全体と類似する場合だけでなく、測定曲線がリバウンド曲線の一部と類似する場合もリバウンドの傾向有りと判定してもよい。例えば、図４に示すリバウンド曲線は、アセトン濃度が一定期間高い状態が続いているが、このような状態が長く測定曲線に現れている場合には、今後リバウンドが発生してアセトン濃度が低い状態が続く可能性が見られると判定し、リバウンド注意と判定するようにしてもよい。
【００４５】
ステップＳ１０８においてリバウンドの傾向が見られると判定した場合には、ステップＳ１１０へ移行し、リバウンドの傾向が見られないと判定した場合には、ステップＳ１１２へ移行する。
【００４６】
ステップＳ１１０では、リバウンドの傾向が見られることを警告するメッセージを表示部１４に表示させる。これにより、ユーザーは、リバウンドの傾向があることを認識することができ、リバウンドの発生を抑制して健康的なダイエットを心がけることが可能となる。
【００４７】
一方、ステップＳ１１２では、複数の日のアセトン濃度の測定結果に基づいて、ダイエットが順調であるか否かを判定する。ダイエットが順調である場合、アセトン濃度は徐々に上昇する。従って、例えばアセトン濃度が上昇しているか否かを判定する期間の開始日Ｄ３のアセトン濃度をＡ３、終了日Ｄ４のアセトン濃度をＡ４とした場合、（Ａ４−Ａ３）／（Ｄ４−Ｄ３）が予め定めた第４の閾値以上の場合に、アセトン濃度が上昇していると判定する。すなわち、アセトン濃度が上昇しているか否かを判定する期間の開始日のアセトン濃度と終了日のアセトン濃度とを結ぶ線の傾きが予め定めた第４の閾値以上の場合にアセトン濃度が上昇していると判定する。なお、アセトン濃度が上昇しているか否かを判定する期間の開始日Ｄ３のアセトン濃度Ａ３、終了日Ｄ４のアセトン濃度Ａ４との差分（Ａ４−Ａ３）が予め定めた第５の閾値以上の場合にアセトン濃度が上昇していると判定するようにしてもよいし、比（Ａ４／Ａ３）が予め定めた第６の閾値以上の場合にアセトン濃度が上昇していると判定するようにしてもよい。
【００４８】
なお、上記の各閾値は、例えば目標体重と現在の体重との差分に応じて設定してもよい。例えば、目標体重との差が小さくなるに従って第４の閾値が小さくなるようにする。これにより、目標体重に近づくに従って、ダイエットが順調に進んでいると判定される可能性が高くなる。
【００４９】
そして、ダイエットが順調であると判定された場合はステップＳ１１４へ移行し、ダイエットが順調であると判定されなかった場合は、ステップＳ１１６へ移行する。
【００５０】
ステップＳ１１４では、ダイエットが順調である旨を表すメッセージを表示部１４に表示させる。一方、ステップＳ１１６では、ダイエットが順調でない旨を表すメッセージを表示部１４に表示させる。
【００５１】
ステップＳ１１８では、ステップＳ１０４で測定したアセトン濃度に基づいて、ユーザーに対して指示する１日当たりの指示糖質量及び指示運動量の少なくとも一方を含む指示エネルギー量を取得する。なお、指示糖質量とは、摂取すべき糖質量又は減らすべき糖質量の両方を含む。
【００５２】
指示糖質量及び指示運動量は、例えば図５に示すようなテーブルデータから求める。図５に示すテーブルデータは、年令と、現在のアセトン濃度と目標アセトン濃度との差分と、に応じた指示糖質量及び指示運動量が予め設定されたテーブルデータであり、予め不揮発性メモリ２０Ｄに記憶される。なお、指示糖質量及び指示運動量の欄には、例えば単位をキロカロリー（ｋｃａｌ）とする数値が予め設定されている。また、指示糖質量及び指示運動量は、リバウンドの傾向の有無毎に設定されている。すなわち、ステップＳ１０８でリバウンドの傾向有りと判定された場合は、「リバウンド有り」の欄から指示糖質量及び指示運動量を求め、ステップＳ１０８でリバウンドの傾向無しと判定された場合又はステップＳ１０６で複数の日のアセトン濃度の測定結果がないと判定された場合、すなわちアセトン濃度を１回しか判定していない場合には、「リバウンド無し」の欄の指示糖質量及び指示運動量を求める。
【００５３】
従って、ステップＳ１１８では、ステップＳ１００で入力されたユーザーの年令と、ステップＳ１０４で測定したアセトン濃度と目標アセトン濃度との差分と、リバウンドの傾向の有無と、に応じた指示糖質量及び指示運動量を図５に示すテーブルデータから取得する。
【００５４】
目標アセトン濃度は、ステップＳ１０２で入力された目標体重及び目標期間に基づいて算出される。例えば、目標体重及び目標期間をパラメータとして目標アセトン濃度を算出する予め定めた算出式により目標アセトン濃度を算出する。
【００５５】
なお、図５に示すテーブルデータは指示糖質量及び指示運動量の両方を含んでいるが、何れか一方のみを含むテーブルデータとしてもよい。また、ステップＳ１０４で測定したアセトン濃度から直接指示糖質量及び指示運動量を求めるようにしてもよい。この場合、例えばアセトン濃度、指示糖質量、及び指示運動量の対応関係を示すテーブルデータを予め不揮発性メモリ２０Ｄに記憶しておき、このテーブルデータを用いて、測定したアセトン濃度に対応する指示糖質量及び指示運動量を求めればよい。
【００５６】
また、図５に示すテーブルデータを男女別、体格別、体組成別に用意し、性別、体格、体組成に応じて指示糖質量及び指示運動量を求めるようにしてもよい。
【００５７】
ステップＳ１２０では、ステップＳ１１８で求めた指示糖質量に基づいて、これから摂取すべき又は減らすべき１日当たりの総エネルギー量を、例えば予め定めた算出式を用いて算出する。なお、この算出式は、例えば三大栄養素であるタンパク質（Ｐｒｏｔｅｉｎ）、脂質（Ｆａｔ）、炭水化物（Ｃａｒｂｏｈｙｄｒａｔｅ））のエネルギー比率、すなわちＰＦＣバランスが適正となるように総エネルギー量を算出する式となっている。
【００５８】
ステップＳ１２２では、ステップＳ１２０で算出した総エネルギー量に対応する食事メニュー及び運動メニューを求め、表示部１４に表示する。例えば、図６に示すような総エネルギー量、食事メニュー、及び運動メニューの対応関係を表すテーブルデータを用いて、総エネルギー量に対応する食事メニュー及び運動メニューを求め、求めた食事メニュー及び運動メニューを表示部１４に表示する。なお、図６のテーブルデータの総エネルギー量の欄には、例えば単位をキロカロリー（ｋｃａｌ）とする数値が予め設定され、食事メニューの欄には、食事メニューを表す文字列が予め設定され、運動メニューの欄には、運動メニューを表す文字列が予め設定されている。
【００５９】
このように、必要な総エネルギー量を食事メニュー及び運動メニューに置き換えて表示するので、具体的にどのような食事及び運動をすればダイエットできるかを容易に把握することができる。なお、総エネルギー量に対応する食事メニューのみを求めて表示してもよいし、総エネルギー量に対応する運動メニューのみを求めて表示してもよい。
【００６０】
また、総エネルギー量に対応した食事メニュー及び運動メニューを１つずつ表示する場合について説明したが、総エネルギー量に対応した複数の食事メニュー及び複数の運動メニューを図６に示すテーブルデータに設定しておき、総エネルギー量に対応した食事メニュー及び運動メニューを複数個ずつ表示するようにしてもよい。これにより、ユーザーが好みのメニューを選択することができる。
【００６１】
なお、本実施形態では、ダイエット支援装置１０が携帯型の専用装置の場合について説明したが、例えば図７に示すように、パーソナルコンピュータ８０に、測定部１２を含む測定機器８２を有線又は無線により接続する構成としてもよい。この場合、パーソナルコンピュータ８０は、測定機器８２により測定されたアセトン濃度を取得して図３に示す処理を実行することにより、ダイエット支援装置として機能する。
【００６２】
また、測定機器８２を接続する機器は、パーソナルコンピュータに限らず、携帯電話、スマートフォン、及びタブレット端末等の携帯端末でもよい。また、これらの携帯端末に測定部１２を内蔵した構成としてもよい。また、これらの携帯端末又は測定機器８２をサーバにネットワーク接続する構成としてもよい。この場合、サーバがダイエット支援装置として機能する。すなわち、携帯端末又は測定機器８２は、測定したアセトン濃度をサーバに送信し、サーバは、携帯端末又は測定機器８２から受信したアセトン濃度に基づいて図３に示す処理を実行し、結果を携帯端末又は測定機器８２に送信する。これにより、測定機器８２は、少なくともアセトン濃度を測定してサーバに送信する機能及びサーバから結果を受信して表示する機能を備えればよく、安価な構成とすることができる。
【００６３】
また、本実施形態では、測定部１２が、呼気中のアセトンを検出するアセトン検出センサを備えた構成の場合について説明したが、これに限らず、ユーザーの皮膚、尿、唾液、及び汗等から排出されたケトン体を検出するケトン体検出センサを備えた構成としてもよい。
【符号の説明】
【００６４】
１０   ダイエット支援装置
１２   測定部
１４   表示部
１６   操作部
１８   吹き込み口
２０   コントローラ
８０   パーソナルコンピュータ
８２   測定機器
【図１】
2015141458.tif 000003
【図２】
2015141458.tif 000004
【図３】
2015141458.tif 000005
【図４】
2015141458.tif 000006
【図５】
2015141458.tif 000007
【図６】
2015141458.tif 000008
【図７】
2015141458.tif 000009